(57)【要約】【課題】水深に関係なく安定的に吸水することができ、水深が深くても引き上げ作業が容易で、メンテナンスの頻度を極力減らすことのできる吸水装置を提供する。【解決手段】  吸水口１ａと排水口１ｂとを有する装置本体１、前記装置本体１の前記排水口１ｂから水を吸引するポンプＰ、及び前記装置本体１と前記ポンプＰとを繋ぐホース２を有し、前記装置本体１が前記装置本体１を水面に浮かべるためのフロート３を具備することにより、前記吸水口１ａから水面近傍において吸水可能である構成とする。装置本体１を水面に浮かべるためのフロート３を具備しているので、吸水されるのは水面近傍の水であり、水深が浅い場所でも吸水することができ、装置本体１が水中に沈むことがないため、水深の深い場所に投入しても、作業者の負担が少ない。【選択図】図１
0003191795.tif 000002
【実用新案登録請求の範囲】
【請求項１】
吸水口と排水口とを有する装置本体、前記装置本体の前記排水口から水を吸引するポンプ、及び前記装置本体と前記ポンプとを繋ぐホースを有し、
前記装置本体が前記装置本体を水面に浮かべるためのフロートを具備することにより、前記吸水口から水面近傍において吸水可能であること、
を特徴とする吸水装置。
【請求項２】
前記フロートが、前記装置本体の下面部分又は／及び側面下側部分に設けられていること、を特徴とする請求項１に記載の吸水装置。
【請求項３】
前記吸水口が、前記装置本体の下面部分に設けられていること、を特徴とする請求項１又は２に記載の吸水装置。
【請求項４】
前記吸水口と前記排水口との間にフィルターが設けられていること、を特徴とする請求項１〜３のうちのいずれかに記載の吸水装置。
【考案の詳細な説明】
【技術分野】
【０００１】
本考案は、農作業、消火作業、土木作業、船舶のビルジ排水等において、水等の液体を吸い上げるために用いる吸水装置に関し、更に詳しくは、水深に関係なく安定的に水を吸い上げることができる吸水装置に関する。
【背景技術】
【０００２】
従来、農作業や消火作業等の水を吸い上げる際には、例えば、図６に示すような吸水装置１００が用いられてきた。この吸水装置１００は、筒状体１０１に多数の小孔１０２が穿孔されたものであり、その一端側に取付けられたカップリング１０３に、消防車等から引き出されたホース２が接続されるように構成されている。そして、この吸水装置１００を河川等に投入し、ポンプ（不図示）によって水を吸い上げることで、前記の作業に必要な水を確保している。
【０００３】
しかしながら、従来の吸水装置１００は、図６に示すような水深が浅い場所に投入すると、筒状体１０１の全体が水中に浸からずに、小孔１０２より空気を吸い込んでしまうことがあった。このように空気を吸い込んでしまうと、吸水効率が低下するだけでなく、作業者が受ける力も不安定なものとなり、吸水作業自体が危険なものになってしまうという問題があった。従来の吸水装置１００は、およそ筒状体１００の高さが１０数ｃｍであるため、水深が１５ｃｍ以下の場所では吸水することができず、特に都市部などの護岸工事の進んだ水深の浅い河川などでは、使用するのが難しい場合もあった。
【０００４】
かかる事情に鑑みて、本発明者は、かつて、水底に配置され、水の吸込み口となるストレーナと、該ストレーナを、その底側を除いて囲うカバーと、該カバーを貫通し、ストレーナとを接続するカップリングと、前記カバーの底部から下向きに突設され、カバーを水底から支持する支持脚部と、を有する吸水装置を提案した（特許文献１）。
【０００５】
上記特許文献１の吸水装置は、負圧を利用することで、水深が浅くてカバー全体が水中に浸からないような場合でも、カバーの底部が水中に浸かってさえいれば、空気を吸込むことなく、水を吸い上げることができる優れたものであった。
【０００６】
しかしながら、上記特許文献１の吸水装置は、その構造上、カバーの側板部に、ストレーナを片持ち支持するだけの強度が必要となり、その強度を確保するために、ストレーナの重量が重くなってしまうという問題があった。従って、特許文献１の吸水装置を携行するのは容易でなく、携帯性に優れるとは言い難いものであった。また、水と共に藻やゴミ等を吸い込んで、ストレーナの小孔が目詰まりしてしまうという問題もあった。
【０００７】
そこで、本発明者は、水底に配置される、水底側に開口部が設けられた箱型のケースと、該ケースの前後方向における一端側の端板部に設けられ、カップリングを取付ける連結部と、前記ケース内に配置され、前記開口部と連結部との間に介装されるフィルターと、前記ケースの底部から下向きに突設され、カバーを水底から支持する支持脚部と、を有する吸水装置を、新たに提案した（特許文献２）。
【０００８】
この特許文献２の吸水装置は、前記特許文献１のような重いストレーナを備えていないので、軽量で携行性に優れ、また、開口部と連結部との間に介装されたフィルターにより、藻やゴミ等が除去されるので、目詰まりの心配も生じない優れたものであった。
【先行技術文献】
【特許文献】
【０００９】
【特許文献１】実用新案登録第３０５１３７０号公報
【特許文献２】実用新案登録第３０７３３３３号公報
【考案の概要】
【考案が解決しようとする課題】
【００１０】
上述のように、上記特許文献２の吸水装置は、軽量で携行性に優れるものであったが、如何に軽量とはいえ、水を吸い込んだ吸水装置の重量は重く、特に、水深が深い場所に吸水装置を投入した際などは、その引き上げ作業が容易なものではなかった。また、水底に配置するものなので、藻やゴミ等を吸い込むことが多く、フィルターのメンテナンスを頻繁に行わなければ、吸引力が低下してしまうという問題もあった。
【００１１】
そこで、本考案は、前記の問題に鑑みてなされたもので、その解決しようとする課題は、水深に関係なく安定的に吸水することができ、水深が深くても引き上げ作業が容易で、メンテナンスの頻度を極力減らすことのできる吸水装置を提供することにある。
【課題を解決するための手段】
【００１２】
上記の課題を解決するため、本考案に係る吸水装置は、吸水口と排水口とを有する装置本体、前記装置本体の前記排水口から水を吸引するポンプ、及び前記装置本体と前記ポンプとを繋ぐホースを有し、前記装置本体が前記装置本体を水面に浮かべるためのフロートを具備することにより、前記吸水口から水面近傍において吸水可能であること、を特徴とするものである。
【００１３】
本考案の吸水装置においては、前記フロートが、前記装置本体の下面部分又は／及び側面下側部分に設けられていることが好ましい。また、前記吸水口が、前記装置本体の下面部分に設けられていることが好ましく、前記吸水口と前記排水口との間にフィルターが設けられていることが、より好ましい。
【考案の効果】
【００１４】
本考案の吸水装置は、装置本体を水面に浮かべるためのフロートを具備しているため、この装置本体を河川等に投入すると、常に水面に浮かんだ状態となる。従って、吸水口より吸水されるのは水面近傍の水であり、水深が浅い場所でも吸水することができる。また、装置本体が水中に沈むことがないため、水深の深い場所に投入しても、引き上げ作業の労力は水深が浅い場合と同じで、作業者の負担が少ない。しかも、水面近傍は水底に比べると藻等が少ないため、それらを吸い込む機会が減って、メンテナンスの頻度を大幅に減らすこともできる。このように、本考案の吸水装置は、水深が浅くても深くても同じように安定的に使用することができるものである。
【００１５】
また、前記フロートが、前記装置本体の下面部分又は／及び側面下側部分に設けられている吸水装置は、装置本体の下面部分又は／及び側面下側部分にフロートを設けることで、吸水装置の大部分が水面より上方に位置することになり、水深が非常に浅い場所でも安定的に吸水することが可能となる。
【００１６】
特に、前記吸水口が、前記装置本体の下面部分に設けられている吸水装置は、装置本体の最も下側部分に吸水口を設けることで、水が有りさえすれば、空気を吸い込むことなく、安定的に吸水することができる。
【００１７】
本考案は、上記のように、水底に比べると藻等が少ない水面近傍の水を吸い上げるものであるが、如何に水面といえども、藻やゴミ等は存在する。そのような場合でも、前記吸水口と前記排水口との間にフィルターが設けられている吸水装置のように、吸水口と排水口との間にフィルターを設けることで、藻等はフィルターにより除去されて、吸い上げた水に藻やゴミ等が混入するといった不具合はなくなる。
【図面の簡単な説明】
【００１８】
【図１】本考案の実施形態１に係る吸水装置を示す概略説明図である。
【図２】同装置に用いる装置本体を示す斜視図である。
【図３】同装置本体の断面図である。
【図４】本考案の実施形態２に係る吸水装置に用いる装置本体を示す斜視図である。
【図５】同装置本体の断面図である。
【図６】従来の吸水装置を示す説明図である。
【考案を実施するための形態】
【００１９】
≪実施形態１≫
図１に示す本考案の実施形態１に係る吸水装置１０は、吸水口１ａと排水口１ｂとを有する装置本体１と、装置本体１の排水口１ｂから水を吸引するポンプＰと、装置本体１とポンプＰとを繋ぐホース２を有するものであって、農作業、消火作業、土木作業、船舶のビルジ排水等において、水等の液体を吸い上げるために用いられる。
【００２０】
前記装置本体１は、図２、図３に示すように、前板１０ａと、後板１１ａと、アーチ型の天板１２ａと、天板１２ａの両側端から下方に延設された左右の側板１３ａ，１３ａと、からなる蒲鉾形状の箱体であって、その下面部分は開口しており、その開口が装置本体１の内部に水を吸い込むための吸水口１ａとなっている。
【００２１】
このように装置本体１の最も下側部分に吸水口１ａを設けると、水深が非常に浅い河川等に装置本体１を投入しても、吸水口１ａは常に水と接することになるので、水が有りさえすれば吸水することができる。また、別途吸水口を設けるという手間が省け、制作コストを抑えることもできる。
【００２２】
図２、図３に示すように、前記装置本体１の前板１０ａには円形の開口が穿孔されており、その開口に、前記吸水口１ａから吸水した水を排出する排水口１ｂが設けられている。この排水口１ｂは、多数の孔１１ｂが穿孔された円筒状のストレーナ１０ｂと、ホース２の一端が接続されるカップリング１２ｂからなるもので、前記の吸水口１ａから吸水された水は、孔１１ｂよりストレーナ１０ｂの内部に流入し、ホース２へと排出されるようになっている。
【００２３】
また、前記装置本体１の三側面、即ち、後板１１ａと左右の側板１３ａ，１３ａには、本考案の最大の特徴であるフロート３が設けられている。このフロート３は、装置本体１を河川等に投入した際、装置本体１が水面に浮かぶように設けられたもので、本実施形態では、装置本体１の大部分が水面に浮かぶ（水面よりも上方に位置する）ように、後板１１ａと左右の側板１３ａ，１３ａの下側部分に設けられている。
【００２４】
このように、フロート３を装置本体１の下側部分に設けると、装置本体１の高さよりも水深が浅い河川等でも、吸水口１ａが水底と当接して吸水口１ａが塞がれることがなくなり、これに加えて、前記のように、吸水口１ａを装置本体１の最も下側部分に設けることで、本考案の吸水装置１０は、水が有りさえすれば、どのような場所でも吸水することができるようになっている。
【００２５】
前記のフロート３は、装置本体１を水面に浮かべることができるものであれば、例えば空気袋のようなものでも構わないが、本実施形態では、軽量で浮力が大きく、様々な形状にも加工が容易な発泡スチロール製のフロート３が用いられている。
【００２６】
本実施形態のフロート３は、前記のように、前板１０ａを除く三側面（後板１１ａ、左右の側板１３ａ，１３ａ）に設けられており、このような箇所にフロート３が設けられた装置本体１を河川等に投入すると、装置本体１の前面側が若干沈んだ状態になるが、装置本体１にはホース２が接続されているため、図１に示すように、装置本体１には斜め上方へと引っ張られる力が作用している。
【００２７】
従って、ホース２が接続された吸水状態においては、装置本体１の水平状態が保たれて、装置本体１の前面側の下端部（特に前板１０ａの下端部近傍）が水面から離れて、その隙間より空気を吸い込むといった不具合がなくなる。
【００２８】
なお、前記のように、本実施形態のフロート３は、三側面（後板１１ａ、左右の側板１３ａ，１３ａ）に設けられているが、このフロート３を装置本体１の下面部分（後板１２ａ、左右の側板１３ａ，１３ａの下縁部）に設けてもよく、その場合は、吸水口１ａが水と接するように、若干浮力を抑えたフロート３を用いることが必要となる。
【００２９】
前記のように、装置本体１にフロート３を設けることで、装置本体１を河川等に投入すると、装置本体１は水面に浮かんだ状態となり、当然の如く、吸水口１ａから吸水される水は、水面近傍の水となる。水面近傍は、水底に比べると藻等は少ないが、如何に水面といえども、藻やゴミ等は存在し、この藻やゴミ等を吸い上げると、ポンプＰの故障の原因ともなり得る。これに対処するため、本実施形態の装置本体１は、吸水口１ａと排水口１ｂとの間に、藻やゴミ等の異物を除去するフィルター４を設けている。
【００３０】
このフィルター４は、メッシュ又は多数の小孔が形成された湾曲板で、図３に示すように、装置本体１内部の下側部分（吸水口１ａとストレーナ１０ｂの間）に設けられている。このようなフィルター４を装置本体１の内部に設けることで、藻等はフィルター４により除去されて、吸い上げた水に藻やゴミ等が混入するといった不具合がなくなり、藻等が原因でポンプＰが故障することもなくなる。勿論、このフィルター４には、通水路が多数存在するので、水を吸い上げる吸引力にも影響はない。
【００３１】
前記のような装置本体１は、図１に示すように、その排水口１ｂのカップリング１２ｂにホース２の一端が接続される。また、ホース２の他端は、水を吸引する原動力となるポンプＰに接続され、ポンプＰには、吸い上げた水を外部へと排出するもう一本のホース２（図面ではポンプＰの右側のホース２）が接続されている。
【００３２】
このホース２及びポンプＰは適宜公知のものが用いられ、ポンプＰが稼動すると、吸水装置１の内部で負圧が発生して、水面に浮かんだ装置本体１の吸水口１ａより水が吸い上げられる仕組みになっている。
【００３３】
吸水口１ａより吸い上げられた水は、ストレーナ１０ｂの小孔１１ｂから、カップリング１２ｂに接続されたホース２へと流入し、ポンプＰに接続されたもう一本のホース２より外部に排出されて、農作業、消火作業、土木作業等に利用されるようになっている。
【００３４】
この際、上記のように、吸水口１ａの全域は常に水と接しているため、一度装置本体１内部の空気を吸い込みさえすれば、装置本体１内部は水で充填されて、以降は空気を吸い込むことなく、安定的に水だけを吸い上げることができ、従来のように、吸水作業が危険なものになってしまう心配がない。
【００３５】
なお、図示はしないが、ポンプＰと、２本のホース２，２（装置本体１に接続されているホース２及び外部に排出するためのホース２）とを、略Ｔ型継手を介して接続してもよい。
【００３６】
以上の説明から明らかなように、本考案の吸水装置１０は、装置本体１の最も下側部分に吸水口１ａを設けることに加えて、装置本体１の三側面（後板１１ａ、左右の側板１３ａ，１３ａ）の下側部分に装置本体１を水面に浮かべるためのフロート３を設けることで、水深が非常に浅い場所でも、空気を吸い込むことなく水だけを吸水することが可能となる。
【００３７】
また、水面近傍の水は、水底に比べると藻等が少ないので、それらを吸い込む機会が減って、メンテナンスの頻度を大幅に減らすことができ、もし藻等を吸い込んだとしても、フィルター４により除去されるため、それが原因によるポンプＰの故障を防止することができる。
【００３８】
また、上記のように、装置本体１は常に水面に浮かんでいて、装置本体１が水中に沈むことがないため、水深の深い場所に投入しても、引き上げ作業の労力は水深が浅い場合と同じで、作業者の負担も少ない。このように、本考案の吸水装置１０は、水深が浅くても深くても同じように安定的に使用することができるものである。
【００３９】
≪実施形態２≫
図４は本考案の実施形態２に係る吸水装置に用いる装置本体を示す斜視図、図５は同装置本体の断面図である。
【００４０】
本実施形態の吸水装置１１は、図４に示す装置本体１Ａを用いるものである。この装置本体１Ａは、図５に示すように、斜め後方に約４５°の角度で傾斜して立ち上がる前板１０ａと、後板１１ａと、天板１２ａと、左右の側板１３ａ，１３ａと、からなる箱体であって、前述した実施形態の装置本体１と同様に、その下面部分は開口しており、その開口が装置本体１の内部に水を吸い込むための吸水口１ａとなっている。
【００４１】
装置本体１Ａの前板１ａには、図５に示すように、その外周面にネジ溝が形成された筒体１３ｂが斜め上方に突設されており、該筒体１３ｂに、内周面にネジ山が形成されたカップリング１２ｂを螺合することで、カップリング１２ｂが装置本体１に一体化されている。
【００４２】
前記カップリング１２ｂは、図５に示すように、その中間部分で斜めに屈曲されており、カップリング１２ｂを前記筒体１３ｂに螺合すると、そのカップリング１２ｂに接続されたホース２は水平となる。このカップリング１２ｂは、螺合の度合いによって、その一端（出口側）を上方に向けることも可能であり、幅が狭く水面までが遠い河川等であっても、ホース２を極端に屈曲させなくても、装置本体１Ａと接続することができる。
【００４３】
また、前記装置本体１Ａの前板１０ａを除く三側面（後板１１ａ、左右の側板１３ａ，１３ａ）の下側部分には、装置本体１Ａを水面に浮かべるためのフロート３が設けられている。これにより、本実施形態の装置本体１Ａも、前述した装置本体１と同様、水面に浮かぶので、水面近傍の水を吸水するようになっている。
【００４４】
そして、前記装置本体１Ａの天板１２ａには、持ち運びに便利な下向きコ字型の把持部１４ａが設けられている。この装置本体１Ａには、前述した装置本体１とは異なり、ストレーナ１０ｂが存在しないのでその分軽量であり、把持部１４ａが設けられているので携行性に優れる。
【００４５】
また、装置本体１Ａの内部の吸水口１ａと排水口１ｂの間には、前述した装置本体１と同様に、藻やゴミ等を除去するフィルター４が設けられており、藻やゴミ等が原因によるポンプＰの故障を防止している。
【００４６】
本実施形態の装置本体１Ａのその他の構成は、前述した図１から図３に示す実施形態の装置本体１と同様であるので、同一部材に同一符号を附して説明を省略する。
【００４７】
本実施形態の装置本体１Ａを用いた吸水装置１０も、前述した図１から図３に示す実施形態の吸水装置１０と同様に、フロート３を設けることで、水深が浅くても深くても同じように安定的に使用することができ、作業者の負担が少ない。それに加えて、本実施形態の装置本体１Ａは軽量のため、携行性に優れ、任意の角度でホース２と接続することが可能となる。
【００４８】
以上、代表的な２つの実施形態に係る吸水装置１０，１１を詳述したが、本考案は、装置本体１，１Ａを水面に浮かべるためのフロート３を有するものであれば、これに限定されるものではなく、その他種々の設計変更を許容するものである。
【符号の説明】
【００４９】
１０，１１  吸水装置
１，１Ａ  装置本体
１ａ  吸水口
１ｂ  排水口
１０ａ  前板
１１ａ  後板
１２ａ  天板
１３ａ  側板
１４ａ  把持部
１０ｂ  ストレーナ
１１ｂ  小孔
１２ｂ  カップリング
１３ｂ  筒体
Ｐ    ポンプ
２    ホース
３    フロート
【図１】
0003191795.tif 000003
【図２】
0003191795.tif 000004
【図３】
0003191795.tif 000005
【図４】
0003191795.tif 000006
【図５】
0003191795.tif 000007
【図６】
0003191795.tif 000008